(57)【要約】本発明は、突出ケース付き送付物形成キットであって、内部に収納空間をＳ有するカップ部１ａと前記カップ部１ａの開口の周囲に設けられた鍔部１ｂとを有する突出ケース１と、送付物に貼られるシールラベル２と、送付物への接着を可能にするために前記シールラベルに設けられた接着剤２ｃを覆う剥離可能な剥離シート３とを有する。前記シールラベル２は、突出ケースのカップ部１ａを裏面から表面へと突出させるための窓部２ａを有する。そして、本発明は、前記突出ケース付き送付物形成キットによって製造された突出ケース付き送付物。
2002048000.tif 000002
【特許請求の範囲】
【請求項１】
突出ケース付き送付物形成キットであって、
内部に収納空間を有する第１カップ部と前記第１カップ部の開口の周囲に設けられた第１鍔部とを有する突出ケースと、送付物への接着を可能にするための接着剤が裏面に設けられて送付物に貼られるシールラベルと、前記接着剤を覆う剥離可能な剥離シートとからなり、
前記シールラベルは、前記突出ケースのカップ部を裏面から表面へと突出させるための窓部を有することを特徴とする突出ケース付き送付物形成キット。
【請求項２】
前記剥離シートも、前記シールラベルの窓部に対応する位置に同様の窓部を有している請求の範囲第１項に記載の突出ケース付き送付物形成キット。
【請求項３】
前記窓部の周囲であって前記剥離シートを更に複数部に分断するための切り込み目が前記剥離シートに設けられている請求の範囲第１項に記載の突出ケース付き送付物形成キット。
【請求項４】
更に、カップ部の開口を覆う蓋体を有している請求の範囲第１項に記載の突出ケース付き送付物形成キット。
【請求項５】
前記蓋体が内部に収納空間を有する第２のカップ部と前記第２のカップ部の開口の周囲に設けられた第２の鍔部を有する請求の範囲第４項に記載の突出ケース付き送付物形成キット。
【請求項６】
前記突出ケースと前記蓋体との間に係合手段を有している請求の範囲第４項に記載の突出ケース付き送付物形成キット。
【請求項７】
突出ケース付き送付物形成キットであって、
内部に収納空間を有するカップ部と前記カップ部の開口の周囲に設けられた鍔部とを有する突出ケースと、送付物への接着を可能にするための接着剤が裏面に設けられて送付物に貼られるシールラベルと、前記接着剤を覆う剥離可能な剥離シートとからなり、
前記シールラベルは、前記突出ケースのカップ部を裏面から表面へと突出可能にする窓部を形成するための切り込み目を有することを特徴とする突出ケース付き送付物形成キット。
【請求項８】
前記剥離シートも、前記シールラベルの窓部を形成するための切り込み目に対応する位置に、同様の窓部を形成するための切り込み目を有している請求の範囲第７項に記載の突出ケース付き送付物形成キット。
【請求項９】
前記窓部の周囲であって前記剥離シートを更に複数部に分断するための切り込み目が前記剥離シートに設けられている請求の範囲第７項に記載の突出ケース付き送付物形成キット。
【請求項１０】
更に、カップ部の開口を覆う蓋体を有している請求の範囲第７項に記載の突出ケース付き送付物形成キット。
【請求項１１】
前記蓋体が内部に収納空間を有する第２のカップ部と前記第２のカップ部の開口の周囲に設けられた第２の鍔部を有する請求の範囲第１０項に記載の突出ケース付き送付物形成キット。
【請求項１２】
前記突出ケースと前記蓋体との間に係合手段を有している請求の範囲第１０項に記載の突出ケース付き送付物形成キット。
【請求項１３】
送付物本体と、
内部に収納空間を有するカップ部と前記カップ部の開口の周囲に設けられた鍔部とを有する突出ケースと、
前記突出ケースのカップ部を裏面から表面へと突出させるための窓部と送付物本体への接着を可能にするために裏面に設けられた接着剤とを有するシールラベルとを備え、
前記窓部から突出ケースのカップ部を突出させて前記送付物本体とシールラベルとの間に突出ケースの鍔部を挟むようにして前記シールラベルは送付物本体に貼られている突出ケース付き送付物。
【請求項１４】
内部に収納空間を有する第１カップ部と前記第１カップ部の開口の周囲に設けられた第１鍔部とを有する突出ケースと、
内部に収納空間を有する第２カップ部と前記第２カップ部の開口の周囲に設けられた第２鍔部とを有して前記第１カップ部の開口を覆う蓋体と、
第１窓部と送付物本体への接着を可能にするために裏面に設けられた接着剤とを有するシールラベルと、
第２窓部が設けられた送付物本体とを備え、
前記第１、第２窓部から前記第１，第２カップ部を突出させて前記送付物本体とシールラベルとの間に前記第１，第２の鍔部を挟むようにして前記シールラベルは送付物本体に貼られている突出ケース付き送付物。
【請求項１５】
内部に収納空間を有するカップ部と同一面側に折り返された少なくとも対向する折り返し部を有する第１部材と、少なくとも対向する２個所が前記第１部材の折り返し部分に挟まれた第２部材と、前記第１部材の折り返し部と前記折り返し部に挟まれた前記第２部材との間に設けられた固定手段とを備えている突出ケース付き送付物。
【発明の詳細な説明】
技術分野
本発明は、小物を収納できる空間を有する突出ケースが取り付けられた突出ケース付き送付物を形成するためのキット及びそのキットによって形成される突出ケース付き送付物に関する。前記送付物としては、郵便物、電報のメッセージと共に送られる送付物、宅配物、ポスティング物、手渡し物のみならず、カタログ、チラシ、ポスター、店頭販売用具等の配送・送付可能なものが含まれる。
背景技術
本発明者は、Ｕ．Ｓ．Ｐ．Ｎｏ．５，６０７，１０１、ＷＯ９５／２５６８０、Ｊ．Ｐ．Ｎｏ２９６８７６２、ＷＯ９８／１４３８９等の送付物に関するいくつかの発明をしている。前記送付物には、郵便物、電報のメッセージと共に送られる送付物、宅配物、ポスティング物、手渡し物のみならず、カタログ、チラシ、ポスター、店頭販売用具等の配送・送付可能なものが含まれる。
それらの送付物は、小物を収納できる空間を有する突出ケースが取り付けられた突出ケース付き送付物である。
前記送付物は、内部に収納空間を有するカップ部と前記カップ部の開口の周囲に設けられた鍔部とを有する突出ケースと、送付物を構成する第１シートと、前記突出ケースのカップ部の突出を可能にする切抜き窓部を有して前記第１シートと共に送付物を構成する第２シートと、前記第１，第２シートを送付物として閉じる閉じ手段を備えている。そして、前記突出ケースのカップ部を前記切抜き窓から突出させながら前記突出ケースの鍔部を前記第１，第２シート間に挟むんで保持して前記第１，第２シートは送付物として閉じられる。
上記のような突出ケース付き送付物は送付物を構成する第１，第２シート、即ち、送付物を構成する部品自体を突出ケースを保持するのに適した構造に加工したものである。
本発明者は、更に簡便に、多様な突出ケース付き送付物を形成することが可能な突出ケース付き送付物形成キット及びそのキットによって製造される突出ケース付き送付物を提供するものである。
発明の開示
本発明の突出ケース付き送付物形成キットは、内部に収納空間を有する第１カップ部と前記第１カップ部の開口の周囲に設けられた第１鍔部とを有する突出ケースと、送付物への接着を可能にするための接着剤を有して送付物に貼られるシールラベルと、前記シールラベルに設けられた接着剤を覆う剥離可能な剥離シートとを有する。
前記送付物としては、郵便物、電報のメッセージと共に送られる送付物、宅配物、ポスティング物、手渡し物のみならず、カタログ、チラシ、ポスター、店頭販売用具等の配送・送付可能なものが含まれる。
そして、本発明の突出ケース付き送付物形成キットは、前記シールラベルが、前記突出ケースの第１カップ部を裏面から表面へと突出させるための第１窓部を有することを特徴とする。
又は、シールラベルが、前記突出ケースの第１カップ部を裏面から表面へと突出可能にする窓部を形成するための切り込み目を有することを特徴とする。
前記発明によれば、前記シールラベルの第１窓部の裏面から表面へと前記突出ケースの第１カップ部を突出させて前記シールラベルを送付物の表面に貼るだけで突出ケース付き送付物が完成する。その結果、前記シールラベルが貼れる送付物であれば即座に突出ケース付き送付物ができる。
また、前記第１カップの開口を覆う蓋体を有していることが好ましい。第１カップ部に小物を収納した後、蓋体を閉じることによって前記シールラベルを送付物本体に貼り付ける際に小物が漏れ落ちることを防止する。
更に、前記蓋体は内部に収納空間を有する第２のカップ部と前記第２のカップ部の開口の周囲に設けられた第２の鍔部を有することが好ましい。前記蓋体が第２のカップ部を有していると、送付物本体に窓部を設けることにより、表裏に突出したケースを有する送付物が簡単に作成できる。
また、本発明の突出ケース付き送付物は、送付物本体と、内部に収納空間を有する第１カップ部と前記第１カップ部の開口の周囲に設けられた第１鍔部とを有する突出ケースと、前記突出ケースの第１カップ部を裏面から表面へと突出させるための第１窓部と送付物本体への接着を可能にするために裏面に設けられた接着剤とを有するシールラベルとを備えている。前記第１窓部から突出ケースの第１カップ部を突出させて前記送付物本体とシールラベルとの間に突出ケースの第１鍔部を挟むようにして前記シールラベルは送付物本体に貼られている。
また、前記第１カップ部の開口を覆う蓋体を有していることが好ましい。更に、前記蓋体は、内部に収納空間を有する第２のカップ部と前記第２のカップ部の開口の周囲に設けられた第２の鍔部を有することが好ましい。それと共に、送付物本体には、前記第２のカップ部を突出させるための第２窓部を設ける。
前記第１、第２窓部から前記第１，第２カップ部を突出させて前記送付物本体とシールラベルとの間に前記第１，第２の鍔部を挟むようにして前記シールラベルは送付物本体に貼られている。
また、本発明の他の突出ケース付き送付物は、内部に収納空間を有するカップ部と同一面側に折り返された少なくとも対向する折り返し部を有する第１部材と、少なくとも対向する２個所が前記第１部材の折り返し部分に挟まれた第２部材と、前記第１部材の折り返し部と前記折り返し部に挟まれた前記第２部材との間に設けられた固定手段とを備えている。
第１部材の折り返し部で第２部材の一部を挟み、その状態を固定手段によって維持するだけで突出ケース付き送付物が形成されるので、製造が容易である。
また、前記第２部材に、内部に収納空間を有する第２のカップ部を設けても良い。それによって表裏に突出したケースを有する送付物となる。
発明を実施するための最良の形態
以下本発明の第１実施形態の例を第１図及び第２図を参照しつつ説明する。第１図は本発明の突出ケース付き送付物形成キットを示す斜視図である。第２図（ａ），第２図（ｂ）は突出ケース付き送付物６の完成図であり、第２図（ｂ）は、第２図（ａ）のＡ−Ａ線断面図である。
第１図において、本発明の突出ケース付き送付物形成キットは、突出ケース１と、シールラベル２と、剥離シート３と、前記突出ケース１及びシールラベル２並びに剥離シート３を収納するための図示されない収納袋等の包装材とを有する。符号４は送付物本体を、５は小物を示している。
前記突出ケース１は、内部に小物５等を収納する収納空間Ｓを有するカップ部１ａと前記カップ部１ａの開口の周囲に設けられた鍔部１ｂとを有する。前記突出ケース１の材料としては、プラスチック、紙等が挙げられるが、カップ部１ａと鍔部１ｂとを形成できるものであれば、どのようなものでも良い。更に、前記突出ケース１としては、透明、半透明、不透明、色付き、色無し、無地、模様付きと様々なデザイン採用できる。
また、図中の鍔部１ｂは開口の周囲全体に設けられているが、開口の周囲全体ではなく一部だけでも良い。後述するように、前記突出ケース１は、前記鍔部１ｂが前記シールラベル２と送付物本体４との間に挟まれることによって送付物本体４の表面に固定される。従って、前記鍔部１ｂは前記突出ケース１を送付物本体４の表面に固定可能な長さだけ開口部の周囲に設ける。
前記シールラベル２は、前記突出ケース１のカップ部１ａを裏面から表面へと突出させるための切り抜き窓部２ａと、送付先の宛名やメッセージ等を記入し表示するために表面側に設けられたスペース２ｂと、送付物本体４への接着を可能にする接着剤層２ｃが裏面に設けられている。前記接着剤層２ｃの接着剤は、裏面全体、若しくは、縞模様状に、或いはシールラベル２の前記窓部２ａの周囲を含めた輪郭に沿った端部に設けられる。前記シールラベル２は、前記接着剤層２ｃによって送付物本体４に貼られる。
シールラベルの裏に接着剤が設けられていると、前記窓部から前記カップ部を突出させながら前記シールラベルを送付物本体の表面に貼るだけで形成された突出ケース付き送付物であるので製造が容易にできる
シールラベル２の材料は、紙、プラスチック、布等の裏面に接着剤層を設けられるものであれば、どのようなものでも良いが、送付物本体の表面形状に沿って貼付できる程度に柔軟性がある材料が好ましい。そして、シールラベル２の形状は、図中に示される如く略矩形に限るものではない。
前記剥離シート３は、前記シールラベルの切り抜き窓部２ａと同様の、即ち、前記シールラベルの切り抜き窓部２ａに対応する位置に形状及び大きさが一致して切り抜き窓部２ａの輪郭が重なる切り抜き窓部３ａを有する。
前記シールラベルの窓部に対応する位置に同様の窓部を有していると、剥離シートがついた状態のシールラベルに窓部を設ける工程が容易に行える。その結果、大量生産に適した突出ケース付き送付物形成キットとなる。
前記剥離シート３は、送付物本体４に貼られる前のシールラベルの接着剤層２ｃを保護するためのもので、前記シールラベルの接着剤層２ｃを覆っている。前記シールラベルから前記剥離シート３を剥がす際には、前記接着剤層２ｃを損傷すること無く前記シールラベルに前記接着剤層２ｃを残したまま剥離することができる紙等の材料からできている。
前記収納袋等の包装材は、販売のための展示の際、中身が見えるように透明なものが望ましい。また、前記シールラベル２を表にして、前記突出ケースのカップ１ａを前記シールラベル２及び剥離シート３の切り抜き窓部２ａ，３ａから表へ突出させた状態にして、前記突出ケース１及び前記シールラベル２並びに剥離シート３を前記収納袋等の包装材に収納する。前記収納袋等の包装材の大きさは、前記状態で前記突出ケース１及び前記シールラベル２並びに剥離シート３の収納を可能にする大きさである。このように収納すると、本発明の突出ケース付き送付物形成キットを店頭に陳列する際、収納袋等の包装材内で前記突出ケース１が移動することが少ない。そのため、本発明の突出ケース付き送付物形成キット整然と整列して陳列し易くなる。
次に、前記本発明の突出ケース付き送付物形成キットによる、突出ケース付き送付物の形成方法を説明する。前記シールラベル２から剥離シート３を剥がす。前記シールラベルの切り抜き窓部２ａの裏面から表面へと前記突出ケースのカップ部１ａを突出させる。前記突出ケースの収納空間Ｓ内に小物５を収納させた状態で、前記シールラベル２を送付物本体４の表面に貼る。すると、前記突出ケースの鍔部１ｂが前記シールラベル２と送付物本体４との間に挟まれた状態で送付物本体４の表面固定される。これにより、突出ケース１は送付物本体４から各易に剥がれ無い。
このようにして、第２図に示すような突出ケース付き送付物６が容易に完成する。
第１図に示した上記実施形態においては、前記シールラベル２の切り抜き窓部２ａに形状・大きさ・位置が一致して輪郭が重なる切り抜き窓部３ａを剥離シート３に設けたものを使用したが、剥離シート３には、必ずしも切り抜き窓部３ａを設ける必要はない。しかしながら、前記シールラベル２の切り抜き窓部２ａに形状・大きさ・位置が一致して輪郭が重なる切り抜き窓部３ａを剥離シート３に設ける方が加工がしやすいので大量生産に適している。
更に、前記シールラベル２の切り抜き窓部２ａは、剥離シート３から剥がす際に形成されるものとしても良い。具体的には、前記シールラベル２の切り抜き窓部２ａを設けたい位置に、切り抜き窓部２ａの輪郭線と一致する切り抜き窓部２ａを形成するための切り込み目（例えば、ミシン目）を設けておく。このような切り込み目を設けると、シールラベル２を剥離シート３から剥がす際に切り抜き窓部２ａを形成することができる。そして、前記シールラベルの窓部の裏面から表面へと前記突出ケースのカップ部を突出させて前記シールラベルを送付物の表面に貼るだけで突出ケース付き送付物が完成する。
この場合においても、前記シールラベル２の切り抜き窓部２ａに形状・大きさ・位置が一致して輪郭が重なる切り抜き窓部３ａを剥離シート３に形成するための切り込み目（例えば、ミシン目）が、前記シールラベル２の切り込み目と共に剥離シートに設けられている。剥離シートがついた状態のシールラベルに窓部を形成するための切り込み目を設ける工程が容易に行える。その結果、大量生産に適した突出ケース付き送付物形成キットとなっている。
更に、第３図に示すように、剥離シート３には前記剥離シート３を更に複数部に分断するための切り込み目（例えば、ミシン目）３ｂが前記剥離シート３に設けられていることが好ましい。特に、前記切り抜き窓部２ａ，３ａの周囲に設けられていることが望ましい。
具体的には第３図において、前記切り抜き窓部２ａ，３ａの周囲から剥離シート３の端に向かって延びる切込み目が前記切り抜き窓部２ａ，３ａを挟んで対向する位置に２本設けられている。
このような切り込み目３ｂが設けられている剥離シート３の場合、前記切り込み目３ｂに沿って前記切り抜き窓部２ａ，３ａの周囲の剥離シート３の一部３ｃをはがして接着剤層の一部露出させる。そして、送付物本体の突出ケースを貼付すべき所定の位置に突出ケースの鍔部１ｂを押し当てる。次に、前記シールラベルの窓部２ａの裏面から表面へと前記突出ケースのカップ部を突出させるように、前記突出ケースの鍔部１ｂの一部を前記露出された接着剤に接触させ、前記突出ケースの位置を送付物本体上に固定する。そのまま、残りの剥離シート３ｄを剥がすと、送付物本体上の所定の位置に突出ケースが貼付される。このように、前記剥離シート３を更に複数部に分断するための切り込み目（例えば、ミシン目）３ｂを設けると、送付物本体上の所定の位置に突出ケースが貼付することが容易にできる。
尚、前記剥離シート３に切り抜き窓部３ａも、切り抜き窓部３ａを形成するための切り込み目も設けられていない場合は、前記シールラベル２の切り抜き窓２ａに対応する位置を横切り、前記剥離シート３の対向する端から端へと延びる切り込み目３ｅを少なくとも一本設けてもよい。
また、前記シールラベル２の前記突出ケースの鍔部１ｂと接触する部分の接着剤を露出させることを可能にするために、前記鍔部１ｂの輪郭に沿う切り込み目３ｆを設けてもよい。
前記送付物本体４としては、シールラベル２が貼付できるものでればどのようなものでもよい。例えば、プリンターなどの出力用紙、写真、紙焼きプリント、手作りの台紙、チラシ、カタログ、ダンボール等様々なものが挙げられる。
第４図（ａ）−第４図（ｃ）に示した送付物本体４は、それぞれハガキ、封筒、サンプル付き・大型封筒を示している。また、送付物本体４として手作りの台紙を使用する場合は、第５図に示すように、三角形、円形、六角形等どんな形状でもよい。更に、送付物本体４としては、第６図に示すような箱、パッケージ、サンプル付き・小包等であっても良い。加えて、第７図に示すような円柱状等の曲面を有する送付物本体４であっても、その曲面にシールラベル２を貼付することが可能であれば良い。
次に、突出ケース１のカップ部１ａの形状は、第１図に示されたように六面体状（厚みのある矩形状）に限定されない。第８図（ａ）に示したような球面形状や第８図（ｂ）に示したような厚みのあるハート型のでもよい。シールラベル２に設けられる切り抜き窓部２ａの輪郭は、前記突出ケースのカップ部１ａの突出が可能なように前記カップ部１ａの開口の輪郭に沿うように加工する。
更に、第９図（ａ）−第１１図（ｂ）に示すように、突出ケース１のカップ部１ａの開口を閉じるための蓋体７，９が設けられていることが好ましい。更に、前記突出ケースの鍔部１ｂと前記蓋体７，９との間に係合手段８，１０が設けられていることが望ましい。
第９図（ａ）は蓋体７が閉じた状態の突出ケース１を示す斜視図であり、第９図（ｂ）は蓋体７が開いた状態の突出ケース１を示す斜視図であり、第９図（ｃ）は第９図（ａ）の正面図であり、第９図（ｄ）は第９図（ａ）の上面図である。
第１０図（ａ）は蓋体９が開いた状態の突出ケース１を示す斜視図であり、第１０図（ｂ）は第１０図（ａ）の蓋体９が閉じる過程を示すである。第１１図（ａ）は蓋体９が閉じた状態の突出ケース１を示す斜視図であり、第１１図（ｂ）は第１１図（ａ）のＤ−Ｄ線断面図である。
第９図（ａ）−第９図（ｄ）において、前記蓋体７は、突出ケースの鍔部１ｂの一部分と蓋体７の一部分とを連続させる連続部７ａとを有する。係合手段８は、前記蓋体８に入れられた切り込み線８ａによって形成された爪状引っ掛け部である。前記突出ケースのカップ部１ａの開口を前記蓋体７によって閉じたとき、前記突出ケースの鍔部１ｂの輪郭線と一致する線と２箇所（Ｂ点、Ｃ点）で交差するように半円形の切り込み線８ａを入れ、爪状引っ掛け部を形成した。
このような係合手段８は、つぎのようにして蓋体７と突出ケース１とを係合させる。前記突出ケースのカップ部１ａの開口を覆って閉じるように、前記期蓋体７を前記連続部７ａにおいて折り曲げる。前記爪状引っ掛け部８と蓋体３との間に前記突出ケースの鍔部１ｂを嵌め込むようにして、前記爪状引っ掛け部８を鍔部１ｂの端に引っ掛ける。このようにして、蓋体７と突出ケース１とを係合させる。係合手段８の数は、一つに限らず適宜選択される。連続部７ａが無く、蓋体７と、突出ケース１が切り離された別体である場合には、カップ部１ａを挟んで対向する位置に係合手段８を設けるようにするのが好ましい。
第１０図（ａ）−第１１図（ｂ）において、前記蓋体９は、突出ケースの鍔部１ｂの一部分と蓋体９の一部分とを連続させる連続部９ａと、カップ部１ａの開口の内周に沿って嵌り、収納空間Ｓ側へ低く突出する凸部９ｂとを有する。係合手段８は、前記蓋体９に入れられた切り込み線８ａによって形成された爪状引っ掛け部であり、第９図（ａ）−第９図（ｄ）において説明したものと同様のものである。
前記蓋体９と突出ケース１は、つぎのようにして閉じられ、係合される。第１０図（ａ）において、前記突出ケースのカップ部１ａの開口を覆って閉じるように、前記蓋体９を前記連続部９ａで折り曲げる。
第１０図（ｂ）に示すように、前記凸部９ｂの上にカードやフィルム等の厚みの薄い小物１０を載せて、前記蓋体の凸部９ｂをカップ部１ａの開口の内周に沿って嵌める。そして、第１１図（ａ）において、突出ケース１の鍔部１ｂに係合手段８である爪状引っ掛け部をかけて突出ケース１と蓋体９とを係合させる。
このような突出ケース１と蓋体９は、カードやフィルム等の厚みの薄い小物１０を収納するのに適している。第１１図（ｂ）に示す断面図からわかるように、前記蓋体の凸部９ｂがカップ部１ａの開口の内周に沿って開口に嵌っている。従って、収納空間Ｓに収納された厚みの薄い小物１０は突出ケース１と蓋体９との隙間から漏れ出る事がない。
前記突出ケース１と蓋体７，９は、連続部７ａ，９ａを有して一体となっているので、同一素材、例えば、一枚のシートをから成形加工するのに適している。また、前記突出ケース１と蓋体７，９とが連続部を有さず、分離した別体であってもよい。この場合、前記突出ケース１と蓋体７，９とを異なる材質のものから成形することができる。前記突出ケース１の材質は、収納空間を形成できる程度に、ある程度硬質のものがよく、蓋体は７，９、送付物本体の表面に沿って容易に貼ることのできるように、ある程度柔軟性のある材質が好ましい。
前記蓋体７、９、が設けられている場合、前記突出ケース１の収納空間Ｓに小物を収納した後、蓋体７、９によって開口部を閉じると小物が前記突出ケース１から容易に飛び出すことが無い。その結果、宛名書きラベルシール２を送付物本体４に貼る作業がし易くなる。
更に、係合手段８，１０が設けられている場合、前記突出ケース１の収納空間Ｓに小物を収納し、蓋体７、９によって開口部を閉じた後、係合手段８，１０によって蓋体７，９が容易に開かないようにすることができる。その結果、宛名書きラベルシール２を送付物本体４に貼る際、小物が前記突出ケース１から飛び出したり、漏れ落ちることが無く、宛名書きラベルシール２を送付物本体４に貼る作業をよりし易くする。
次に、第２実施形態例を第１２図乃至第１４図を参照しつつ説明する。第１２図は本発明の突出ケース付き送付物形成キットを示す斜視図である。第１３図（ａ），第１３図（ｂ）は突出ケース付き送付物１３の完成図であり、第１３図（ｂ）は、第１３図（ａ）のＥ−Ｅ線断面図である。第１４図は送付物本体１２を示す図である。
第１実施形態例と異なるところは、前記蓋体１１が内部に収納空間Ｓ’を有する第２のカップ部１１ａと前記第２のカップ部１１ａの開口の周囲に設けられた第２の鍔部１１ｂを有する点である。前記第２のカップ部１１ａの収納空間Ｓ’は、突出ケース１の収納空間Ｓと連通している。前記蓋体１１の材料や形状、デザインについては、突出ケース１と同様に扱える。
この形態においては、送付物本体１２に前記蓋体の第２カップ部１１ａの突出を可能とする切り抜き窓部１２ａを設ける必要がある。図中において、送付物本体１２としてシート状体が示されている。
次に、前記本発明の突出ケース付き送付物形成キットによる突出ケース付き送付物１３の形成方法を説明する。前記シールラベル２から剥離シート３を剥がす。前記シールラベルの切り抜き窓部２ａの裏面から表面へと前記突出ケースのカップ部１ａを突出させる。前記突出ケースの収納空間Ｓ内に小物５を収納させ、蓋体１１を閉じる。そして、蓋体のカップ部１１ａを前記送付物本体の切り抜き窓部１２ａに挿入して前記蓋体のカップ部１１ａを前記送付物本体の切り抜き窓部１２ａから突出させる。そして、前記シールラベル２を送付物本体１２の表面に貼る。すると、前記突出ケースの鍔部１ｂと蓋体の鍔部１１ｂが前記シールラベル２と送付物本体１２との間に挟まれた状態で送付物本体１２の表面に固定される。これにより、突出ケースの第１カップ部１ａ及び蓋体の第２カップ部１１ａは送付物本体１２から容易に剥がれ無い。
このようにして、第１３図（ａ），第１３図（ｂ）に示すような突出ケース付き送付物１３が容易に完成する。
前記送付物本体１２としては、蓋体のカップ部１１ａを突出させるための切り抜き窓１２ａを設けることができ、シールラベル２が貼付できるものでればどのようなものでもよい。例えば、プリンターなどの出力用紙、写真、紙焼きプリント、手作りの台紙、チラシ、カタログ、ダンボール等様々なものが挙げられる。尚、本実施形態例では、略矩形状の送付物本体１２である。送付物本体１２の形状は三角形、円形、六角形等どんな形状でもよい。
以上の実施形態例では、一つの剥離シート３にシールラベルが一つ設けられたもので説明してきた。第１４図に示すように、一つの剥離シート１４に複数のシールラベルが設けられたものでも良い。
第１４図に示した用紙は、パソコンやワープロ用のプリンタの出力用紙であって接着剤層を有するＡ４サイズのパソコン・ワープロラベル用紙を示している。前記パソコン・ワープロラベル用紙は、接着剤層を有するシールラベルシート１４ａと前記接着剤層を覆う剥離シート１４ｂとからなる。前記シールラベルシート１４ａには、３つのシールラベル２を取り出すために前記シールラベルシート１４ａを３等分するための切り込み目（例えばミシン目）２０ａが設けられている。
更に、前記３等分された部分のそれぞれに突出ケース１のカップ部１ａを突出させるための切り抜き窓部２ａを形成するための切り込み目２０ｂが設けられている。一方、前記剥離シート１４ｂには３等分するための切り込み目や切り抜き窓部２ａを形成するための切り込み目は設けられていない。これは、プリンタによる印刷時にパソコン・ワープロラベル用紙１４が分離してしまうことを防止するためである。
尚、前記剥離シート１４ｂにも突出ケース１のカップ部１ａを突出させるための切り抜き窓部を形成するための切り込み目や前記剥離シート１４ｂを３等分するための切り込み目は必要に応じて設けられる。
第１４図に示したパソコン・ワープロラベル用紙１４と、前記パソコン・ワープロラベル用紙１４から取り出されるシールラベル２の数に相当する数の突出ケースを一つの図示しない収納袋等の包装材に入れて突出ケース付き送付物形成キットとする。前記収納袋等の包装材は、販売のための展示の際、中身が見えるように透明なものが望ましい。
また、パソコン・ワープロラベル用紙の前記接着剤層を有するシールラベルシートは、突出ケース１のカップ部１ａを突出させるための切り抜き窓部がすでに切り抜かれたものであり、前記剥離シート１４ｂは突出ケース１のカップ部１ａを突出させるための切り抜き窓部も切り抜き窓部を形成するための切り込み目も設けられていない一枚のシートであっても良い。
更に、パソコン・ワープロラベル用紙のシールラベルシート及び前記剥離シートにも突出ケース１のカップ部１ａを突出させるための切り抜き窓部を設けても良い。この場合は、前記シールラベルシートを表にして、前記各々の突出ケースのカップ１ａを前記シールラベルシート及び剥離シートの切り抜き窓部から表へ突出させた状態にして、前記突出ケース１及び前記シールラベルシート並びに剥離シートを前記収納袋等の包装材に収納する。前記収納袋等の包装材の大きさは、前記状態で前記突出ケース１及び前記シールラベルシート並びに剥離シートの収納を可能にする大きさである。このように収納すると、本発明の突出ケース付き送付物形成キットを店頭に陳列する際、収納袋等の包装材内で前記突出ケース１が移動することが少ない。そのため、本発明の突出ケース付き送付物形成キット整然と整列して陳列し易くなる。
また、一枚のパソコン・ワープロラベル用紙から取り出すシールラベル２の数や大きさは用途に応じて適宜定められるものであり、それに応じて突出ケースの大きさや数も定められる。
更に、前記パソコン・ワープロラベル用紙と、突出ケースとを別々の包装材に収納して、前記パソコン・ワープロラベル用紙のみを突出ケース付き送付物形成キットとし、突出ケースのみを突出ケース付き送付物形成キットとしてもよい。
次に、第３実施形態を第１５図乃至第２１図を参照しつつ説明する。第１５図，第１６図（ａ），第１６図（ｂ），第１８図乃至第２１図は本発明の突出ケース付き送付物形成キットを示す斜視図であり、第１６図、第１９図、第２１図は、それぞれ第１５図、第１８図、第２１図の裏側を示している。第１７図（ａ），第１７図（ｂ），第１７図（ｃ）は第１５図の突出ケース付き送付物の完成図であり、第１７図（ｂ）は、第１７図（ａ）のＦ−Ｆ線断面図であり、第１７図（ｃ）は第１７図（ａ）のＧ−Ｇ線断面図である。
第１５図乃至第２１図において、突出ケース付き送付物形成キットは、第１部材１５と、第２部材１６と、前記第１，第２部材を互いに固定する固定手段１７，１８とを有する。
前記第１部材１５は、内部に収納空間を有する第１カップ部１５ａと、少なくとも同一面側に折り返された互いに対向する第１，第２折り返し部１５ｂ，１５ｃを有する。以下、カップ部１５ａが突出している面を表、折り返し部１５ｂ，１５ｃが見える側を裏と称して説明する。
前記第１部材１５の材料としては、第１実施形態の突出ケース１と同様、プラスチック、紙等が挙げられるが、カップ部１５ａと第１，第２折り返し部１５ｂ，１５ｃとを形成できるものであれば、どのようなものでも良い。更に、前記第１部材１５としては、透明、半透明、不透明、色付き、色無し、無地、模様付きと様々なデザイン採用できる。更に、前記第１部材のカップ部１５ａの色や形状は、第１実施形態の突出ケースのカップ部１ａと同様に様々な色や形状に成形しうる。
前記第２部材１６としては、前記第１部材の第１．第２折り返し部分１５ｂ，１５ｃに挟まれ、前記固定手段１７，１８によってその状態を維持されることのできるものであればどのようなものでもよい。例えば、プリンターなどの出力用紙、写真、紙焼きプリント、手作りの台紙、チラシ、カタログ、ダンボール等様々なものが挙げられる。また、材質としてはプラスチック、紙等が挙げられる。更に、前記第２部材１６としては、透明、半透明、不透明、色付き、色無し、無地、模様付きと様々なデザイン採用できる。更に、前記第２部材１６の形状は、様々な形状に成形しうる。表裏に突出したケースを有する送付物とするために、、前記第２部材１６に、内部に収納空間を有する第２のカップ部を設けても良い。
前記固定手段１７，１８は、前記第１部材の第１，第２折り返し部１５ｂ，１５ｃと第２部材１６との間に設けられている。そして、前記第２部材１６が前記第１，第２折り返し部分１５ｂ，１５ｃに挟まれている状態を維持するように、前記第１，第２部材を互いに固定している。
また、前記第１、第２部材の両方が透明である場合は、例えば、第１図に示すような宛名等を表示するシールラベル２を貼り付けることが好ましい。
具体的には、第１５図及び第１６図（ａ），第１６図（ｂ）において、前記第１部材１５は、カップ部１５ａを有する長方形のシートであり、透明である。長方形の長辺側に前記第１，第２折り返し部１５ｂ，１５ｃが設けられている。
前記第２部材１６は、少なくとも対向する位置にある２ヶ所の部分１６ａ，１６ｂが前記第１部材の第１，第２折り返し部分１５ｂ，１５ｃに挟まれている。図中において、前記第２部材１６の例として長方形のシートが示されている。前記第２部材１６の長辺側の端部が、前記第１，第２折り返し部分１５ｂ，１５ｃに挟まれている。前記第２部材１６には、宛名等が記入されることが可能である。前記第２部材１６に、宛名等を記入する場合は、記入された宛名等の文字が明確に見えるよう前記第２部材１６は不透明であることが好ましい。
固定手段１７、１８は、第１６図（ａ），第１６図（ｂ）に示されているようなシールやテープ状の接着材である。第１６図（ａ）において、円形状接着シール材１７が折り返し部１５ｂ，１５ｃと第２部材１６との間を跨るようにして４箇所貼り付けられている。第１６図（ｂ）において、テープ状接着材１８が折り返し部１５ｂ，１５ｃと第２部材１６との間を跨るようにして貼り付けられている。
更に、前記第１，第２折り返し部１５ｂ，１５ｃに他の送付物が挟まれないように、前記第１，第２折り返し部１５ｂ，１５ｃと第２部材１６との間の隙間をなくすようにシールやテープ状の接着材を貼り付けてもよい。更に、前記第１，第２折り返し部１５ｂ，１５ｃが設けられていない部分についても第１部材１５と第２部材１６との間に他の送付物が挟まれないように、前記第１部材１５と第２部材１６との間の隙間をなくすようにシールやテープ状の接着材を貼り付けてもよい。
次に、前記本発明の突出ケース付き送付物形成キットによる突出ケース付き送付物１９の形成方法を第１５図乃至第１７図（ｃ）を参照しつつ説明する。
第１５図において、前記第１部材１５のカップ部１５ａ内に小物５が収納される。前記第２部材１６の対向する２辺１６ａ，１６ｂの部分が、前記第１部材１５のカップ部１５ａが設けられた面と前記第１部材の第１，第２折り返し部１５ｂ，１５ｃとの間に、前記第１部材１５の上方から挿入され、下方にスライドされる。
前記第２部材１６の対向する２辺１６ａ，１６ｂが、全長に亘って、前記第１部材の折り返し部分１５ｂ，１５ｃに挟まれた状態となる。前記固定手段１７、１８が、その状態を維持するように、前記折り返し部１５ｂ，１５ｃと前記第２部材１６との間を跨るようにして貼り付けられる（第１６図参照）。
このようにして、第１７図（ａ）−第１７図（ｃ）に示すような突出ケース付き送付物１９が容易に完成する。
また、第１８図において、第１部材１５は、前記第１，第２折り返し部１ｂ，１５ｃに加えて、第３折り返し部１５ｄを有している。第３折り返し部１５ｄを有していること以外は、第１５図乃至第１７図（ｃ）に示されている実施形態例と同様であるので、詳しい説明は省略される。
前記第３折り返し部１５ｄは、前記第１，第２折り返し部１５ｂ，１５ｃ間に位置する他の１辺を折り目として前記第１，第２折り返し部１５ｂ，１５ｃと同一面側に折り返されている。
第１部材１５が矩形シートである場合は、前記第１，第２折り返し部１５ｂ，１５ｃを側部に、第３折り返し部１５ｄを底部に設けることが好ましい。それによって、前記第２部材１５が矩形シートである場合は、その側部の端が前記第１部材の第１，第２折り返し部１５ｂ，１５ｃによって挟まれ、その底部の端が前記第１部材の第３折り返し部１５ｄによって挟まれる。
更に、裏面において、第１９図に示すように、前記第１，第２，第３折り返し部１５ｂ，１５ｃ，１５ｄに他の送付物が挟まれないように、前記第１，第２，第３折り返し部１５ｂ，１５ｃ，１５ｄと第２部材１６との間の隙間をなくすようにシールやテープ状の接着材１８を貼り付けることが好ましい。加えて、前記第１，第２，第３折り返し部１５ｂ，１５ｃ，１５ｄが設けられていない部分についても第１部材１５と第２部材１６との間に他の送付物が挟まれないように、前記第１部材１５と第２部材１６との間の隙間をなくすようにシールやテープ状の接着材１８を貼り付けることが好ましい。
また、第２０図において、第１部材１５は、前記第１，第２折り返し部１ｂ，１５ｃに加えて、第３折り返し部１５ｄ及び第４折り返し部１５ｅを有している。第３折り返し部１５ｄ及び第４折り返し部１５ｅを有していること以外は、第１５図乃至第１７図（ｃ）に示されている実施形態例と同様であるので、詳しい説明は省略される。
前記第３，第４折り返し部１５ｄ，１５ｅは、互いに対向する位置にあり、前記第１，第２折り返し部１５ｂ，１５ｃと同一面側に折り返されている。
第１部材１５が矩形シートである場合は、前記第１，第２折り返し部１５ｂ，１５ｃを側部に、第３折り返し部１５ｄを底部に、第４折り返し部１５ｅは頂部に設けることが好ましい。それによって、前記第２部材１５が矩形シートである場合は、その側部の端が前記第１部材の第１，第２折り返し部１５ｂ，１５ｃによって挟まれ、その底部の端が前記第１部材の第３折り返し部１５ｄによって挟まれ、その頂部の端が前記第１部材の第４折り返し部１５ｅによって挟まれる。また、第２部材１６の前記それぞれの端部が第１部材の前記それぞれの折り返し部へ挿入し易いように、第４折り返し部１５ｅは頂部の辺２１を軸にして回動自在、即ち、開閉自在にしておくことが好ましい。
更に、裏面において、第２１図に示すように、前記第１，第２，第３，第４折り返し部１５ｂ，１５ｃ，１５ｄ，１５ｅに他の送付物が挟まれないように、前記第１，第２，第３，第４折り返し部１５ｂ，１５ｃ，１５ｄ，１５ｅと第２部材１６との間の隙間をなくすようにシールやテープ状の接着材１８を貼り付けることが好ましい。
産業上の利用可能性
本発明は、簡便に、多様な突出ケース付き送付物を形成することが可能な突出ケース付き送付物形成キット及び突出ケース付き送付物として最適である。
前記送付物には、郵便物、電報のメッセージと共に送られる送付物、宅配物、ポスティング物、手渡し物のみならず、カタログ、チラシ、ポスター、店頭販売用具等の配送・送付可能なものが含まれる。
【図面の簡単な説明】
第１図は、本発明の実施形態例の突出ケース付き送付物形成キットを示す斜視図であり、第２図（ａ）及び第２図（ｂ）は、突出ケース付き送付物の完成図であり、第２図（ｂ）は第２図（ａ）のＡ−Ａ線断面図であり、第３図は、本発明の実施形態例におけるシールラベルと剥離シートを示す図であり、第４図（ａ）−第４図（ｃ）は、本発明の実施形態例の突出ケース付き送付物を示す斜視図であり、第５図は、本発明の実施形態例の突出ケース付き送付物を示す斜視図であり、第６図は、本発明の実施形態例の突出ケース付き送付物を示す斜視図であり、第７図（ａ），第７図（ｂ）は、本発明の実施形態例の突出ケース付き送付物を示す斜視図であり、第８図（ａ），第８図（ｂ）は、本発明の実施形態例における突出ケースを示す図であり、第９図（ａ）−第９図（ｄ）は、本発明の実施形態例における突出ケースを示す図であり、第１０図（ａ），第１０図（ｂ）は、本発明の実施形態例における突出ケースを示す図であり、第１１図（ａ），第１１図（ｂ）発明は、本発明の実施形態例における突出ケースを示す図であり、第１２図は、本発明の他の実施形態例の突出ケース付き送付物形成キットを示す斜視図であり、第１３図（ａ）及び第１３図（ｂ）は、第１２図の突出ケース付き送付物の完成図であり、第１３図（ｂ）は第１３図（ａ）のＥ−Ｅ線断面図であり、第１４図は、本発明の他の実施形態例の突出ケース付き送付物のシールラベルを示す図であり、第１５図は、本発明の他の実施形態例の突出ケース付き送付物形成キットを示す斜視図であり、第１６図は、第１５図の裏側を示す図であり、第１７図（ａ）−第１７図（ｃ）は、第１５図の突ケース付き送付物の完成図であり、第１７図（ｂ）は、第１７図（ａ）のＦ−Ｆ線断面図であり、第１７図（ｃ）は第１７図（ａ）のＧ−Ｇ線断面図であり、第１８図は、本発明の他の実施形態例の突出ケース付き送付物形成キットを示す斜視図であり、第１９図は、第１８図の裏側を示す図であり、第２０図は、本発明の他の実施形態例の突出ケース付き送付物形成キットを示す斜視図であり、第２１図は、第２０図の裏側を示す図である。
【図１】
2002048000.tif 000003
【図２（ａ）】
2002048000.tif 000004
【図２（ｂ）】
2002048000.tif 000005
【図３】
2002048000.tif 000006
【図４（ａ）】
2002048000.tif 000007
【図４（ｂ）】
2002048000.tif 000008
【図４（ｃ）】
2002048000.tif 000009
【図５】
2002048000.tif 000010
【図６】
2002048000.tif 000011
【図７（ａ）】
2002048000.tif 000012
【図７（ｂ）】
2002048000.tif 000013
【図８（ａ）】
2002048000.tif 000014
【図８（ｂ）】
2002048000.tif 000015
【図９（ａ）】
2002048000.tif 000016
【図９（ｂ）】
2002048000.tif 000017
【図９（ｃ）】
2002048000.tif 000018
【図９（ｄ）】
2002048000.tif 000019
【図１０（ａ）】
2002048000.tif 000020
【図１０（ｂ）】
2002048000.tif 000021
【図１１（ａ）】
2002048000.tif 000022
【図１１（ｂ）】
2002048000.tif 000023
【図１２】
2002048000.tif 000024
【図１３（ａ）】
2002048000.tif 000025
【図１３（ｂ）】
2002048000.tif 000026
【図１４】
2002048000.tif 000027
【図１５】
2002048000.tif 000028
【図１６（ａ）】
2002048000.tif 000029
【図１６（ｂ）】
2002048000.tif 000030
【図１７（ａ）】
2002048000.tif 000031
【図１７（ｂ）】
2002048000.tif 000032
【図１７（ｃ）】
2002048000.tif 000033
【図１８】
2002048000.tif 000034
【図１９】
2002048000.tif 000035
【図２０】
2002048000.tif 000036
【図２１】
2002048000.tif 000037
【国際調査報告】
2002048000.tif 000038
2002048000.tif 000039
2002048000.tif 000040